(57)【特許請求の範囲】
【請求項１】
着塵用の払拭シートと、該払拭シートを着脱自在に巻着するためのヘッドと、該ヘッドに連結された握持用の柄とからなり、
上記ヘッドが、圧縮性のある弾性素材で形成された柱状の基体部と、該基体部の内部に軸方向に埋設された補強用の芯材と、該芯材の一端の上記基体部から突出する部分に回動自在に連結され、上記基体部の外面に巻かれた払拭シートの自由端を該基体部に押し付けることにより該基体部との間に弾力的に挟持して止着する細長い止着棒と、該止着棒の先端部を芯材に係止させるための係止手段とを有する、
ことを特徴とするモップ。
【請求項２】
着塵用の払拭シートと、該払拭シートを着脱自在に巻着するためのヘッドと、該ヘッドに連結された握持用の柄とからなり、
上記ヘッドが、圧縮性のある弾性素材で略Ｕ字形の断面を有する柱状に形成された基体部と、該基体部の内部に軸方向に埋設された平板状の芯材と、該芯材の一端の上記基体部から突出する部分に個別に回動自在なるように連結されて上記基体部の扁平な上面の幅方向両端部に位置するように配設され、上記基体部の外面に巻かれた払拭シートの自由端を該基体部上面に押し付けることにより該基体部との間に弾力的に挟持して止着する２本の細長い止着棒と、これらの止着棒の先端部を芯材に係止させるための係止手段とを有する、
ことを特徴とするモップ。
【請求項３】
請求項２に記載のモップにおいて、上記基体部の扁平な上面の中央部に、上記芯材から突出する軸受部が設けられ、この軸受部に上記柄が傾動自在に連結されていることを特徴とするモップ。
【請求項４】
請求項１から３のいずれかに記載のモップにおいて、上記基体部における上記止着棒が当接する位置に、軸線方向の窪みが形成されていることを特徴とするモップ。
【発明の詳細な説明】
【０００１】
【発明の属する技術分野】
本発明は、紙や不織布等からなる薄手の払拭シートを使用するモップに関するものである。
【０００２】
【従来の技術】
従来、紙や不織布等からなる薄手の払拭シートを使用するモップとして、合成樹脂からなる扁平な取付ヘッドに上記払拭シートを巻き付けて装着するタイプのものが知られている。この種のモップにおいては、巻き付けた払拭シートを取付ヘッドに止着する手段として、該取付ヘッドの複数箇所にギザギザの切り込みを設け、これらの切り込み内に払拭シートの端部を押し込んで係止させるようにしていた。
ところが、上記従来のモップは、払拭シートを複数箇所（通常は４箇所）において取付ヘッドに止着するようにしていたため、止着点の近くだけが緊張した状態となって払拭シートに皺が生じ易く、皺が生じると、該払拭シートが薄く且つ取付ヘッドが固いことから、払拭シート全体が床面に均等に接触しなくなって清掃しづらいという欠点があった。しかも、上記取付ヘッドが固いために清掃時の使用感も悪かった。
【０００３】
一方、実公平６−３９６３０号公報には、下面及び側面に緩衝材を接着し且つ上面の幅方向両端部に溝を備えた台板と、該台板の溝と対応する位置に突壁を備えた柄棒付きの押え板とを、それらの一端部において開閉自在に連結し、上記台板に巻き付けた払拭シートの両端部を該台板の上面において押え板との間に挟持すると共に、上記突壁で溝内に押し込むことにより、該払拭シートを緊張状態に装着できるようにしたモップが開示されている。
しかしながら、上記公報記載のモップは、合成樹脂や金属のような硬質で滑り易い素材からなる台板と押え板との間に払拭シートを挟持するものであるため、払拭シートが厚手のクロスであるような場合にはそれほど問題にならないが、ティッシュぺーパーのような薄手のシートである場合には、上記溝と突壁との寸法によってはこれらの溝と突壁によって払拭シートを確実に係止させることが困難で、他に適当な係止手段を設けなければ該シートが滑って外れ易いという欠点があった。
【０００４】
【発明が解決しようとする課題】
本発明の技術的課題は、薄手の払拭シートであってもヘッドに皺を生じることなく簡単且つ確実に止着状態に装着することができ、且つ清掃時の使用感にも優れたモップを提供することにある。
【０００５】
【課題を解決するための手段】
上記課題を解決するため、本発明によれば、着塵用の払拭シートと、該払拭シートを着脱自在に巻着するためのヘッドと、該ヘッドに連結された握持用の柄とからなり、上記ヘッドが、圧縮性のある弾性素材で形成された柱状の基体部と、該基体部の内部に軸方向に埋設された補強用の芯材と、該芯材の一端の上記基体部から突出する部分に回動自在に連結され、上記基体部の外面に巻かれた払拭シートの自由端を該基体部に押し付けることにより該基体部との間に弾力的に挟持して止着する細長い止着棒と、該止着棒の先端部を芯材に係止させるための係止手段とを有することを特徴とするモップが提供される。
【０００６】
上記構成のモップにおいては、ヘッドの基体部を圧縮性ある弾性素材により形成し、巻き付けた払拭シートを止着棒で該基体部に押し付けることにより、該基体部の弾力を利用して挟持、止着するようにしているから、該払拭シートが薄手のものであっても、基体部の弾力によって常に適度の力で確実に挟持、固定することができ、このため払拭シートが不用意に外れることがない。
しかも、上記払拭シートが、止着棒によって基体部の内部に部分的に押し込まれる分だけ全体が緊張するため、皺や弛み等を生じることなく、全体として適度に緊張した状態で基体部の回りに装着されることになる。
また、基体部の弾力性により清掃時の使用感が良く、ごつごつした感じが手に伝わらない。
【０００７】
また、本発明によれば、着塵用の払拭シートと、該払拭シートを着脱自在に巻着するためのヘッドと、該ヘッドに連結された握持用の柄とからなり、上記ヘッドが、圧縮性のある弾性素材で略Ｕ字形の断面を有する柱状に形成された基体部と、該基体部の内部に軸方向に埋設された平板状の芯材と、該芯材の一端の上記基体部から突出する部分に個別に回動自在なるように連結されて上記基体部の扁平な上面の幅方向両端部に位置するように配設され、上記基体部の外面に巻かれた払拭シートの自由端を該基体部上面に押し付けることにより該基体部との間に弾力的に挟持して止着する２本の細長い止着棒と、これらの止着棒の先端部を芯材に係止させるための係止手段とを有することを特徴とするモップが提供される。
上記モップにおいては、上記基体部の扁平な上面の中央部に、上記芯材から突出する軸受部が設けられ、この軸受部に上記柄が傾動自在に連結されている。
また、本発明に係るモップは、上記基体部における上記止着棒が当接する位置に、軸線方向の窪みが形成されていることが望ましい。
【０００８】
【発明の実施の形態】
以下、本発明の実施例を図面を参照しながら詳細に説明する。図１乃至図５は本発明の第１実施例を示すもので、図１乃至図３が払拭シートを取り付けていない状態を示し、図４及び図５が払拭シートを取り付けた状態を示している。
【０００９】
上記第１実施例のモップ１Ａは、紙や不織布等の薄手の素材からなる払拭シート２ａと、該払拭シート２ａを着脱自在に巻着するためのヘッド３ａと、該ヘッド３ａに連結された握持用の柄４ａとからなっている。
上記ヘッド３ａは、主として、合成樹脂発泡体のような圧縮性のある弾性素材で形成された円柱状の基体部６ａからなっていて、該基体部６ａの中心部には補強用の芯材７ａが軸線方向に埋設され、円柱状をなす該芯材７ａの一端に上記柄４ａが一体に連設されている。
【００１０】
上記芯材７ａにおける柄４ａが取り付けられた基端部側には、細長い止着棒８ａの基端部が回動自在に連結されている。該止着棒８ａは、上記基体部６ａの外面に巻かれて上面で重ね合わされた払拭シート２ａの自由端を、該基体部６ａに押し付けることにより該基体部６ａとの間に弾力的に挟持して止着するもので、払拭シート２ａを押し付けたとき基体部６ａを圧縮し、少なくとも一部が該基体部６ａ内に埋入するようになっている。好ましくは、図５に示すように止着棒８ａ全体が完全に基体部６ａ内に埋入することである。
【００１１】
上記芯材７ａの先端部側の端部には、上記止着棒８ａの先端部を止着位置に係止させるための係止手段９ａが設けられている。この係止手段９ａは、芯材７ａと止着棒８ａとに設けたフック同士が相互に係止し合うものや、芯材７ａ及び止着棒８ａのいずれか一方に設けたフックが他方に設けた穴に係止するものなど、どのような構成のものであっても良いが、図示した実施例では、弾力的に開閉する一対の弾性部材１０，１０を芯材７ａに取り付け、これらの弾性部材間に止着棒８ａの先端部を弾力的に挟持するものとして構成されている。この場合、基体部６ａの上記弾性部材１０，１０が位置する部分は切り欠いて空間部１２としておくことが望ましい。
【００１２】
上記構成を有するモップ１Ａにおいて、ヘッド３ａに払拭シート２ａを装着するときは、図１に示すように止着棒８ａを開放した状態で、基体部６ａの外周に払拭シート２ａを一巻きし、その自由端を基体部６ａの上面において重ね合わせる。
そして、図４及び図５に示すように、上記止着棒８ａを閉じてその先端部を係止手段９ａに係止させると、該止着棒８ａが払拭シート２ａを基体部６ａに押し付けると共に、該基体部６ａを圧縮して該基体部６ａ内に埋入し、上記払拭シート２ａを基体部６ａとの間に弾力的に挟持する。このため、該払拭シート２ａは基体部６ａの弾性力によってしっかりと固定され、不用意に外れることがない。しかも、上記払拭シート２ａは、止着棒８ａで基体部６ａ内に部分的に押し込まれた分だけ全体が緊張するため、皺や弛み等を生じることがなく、全体として適度の緊張状態を保って装着されることになる。
【００１３】
従って、上記払拭シート２ａが薄手のものであっても、基体部６ａの弾力によって常に適度の力で挟持、固定することができる。
なお、上記基体部６ａにおける止着棒８ａが食い込む位置には、予め窪みを軸線方向に切設しておいても良い。
【００１４】
かくして払拭シート２ａを取り付けたモップ１Ａは、該払拭シート２ａを被清掃部位に押し当てて清掃するが、基体部６ａが全体として弾性素材で形成されているため、その弾力性によって清掃時の使用感が良く、ごつごつした感じが手に伝わらない。しかも、基体部６ａが円柱状をなしているため、その円周方向に少しずつ位置を変えながら清掃することにより、払拭シート２ａの全周をもれなく清掃に使用することができて使用効率が非常に良い。
【００１５】
図６及び図７は本発明の第２実施例を示すもので、この第２実施例のモップ１Ｂは、箒のように動かして清掃するのに適した構成を有するものである。即ち、該モップ１Ｂのヘッド３ｂを構成する基体部６ｂは、扁平な上面１５ｂを有する略Ｕ字形の断面をなしていて、その内部の比較的上面１５ｂに近い位置に平板状の芯材７ｂが埋設されている。そして、該芯材７ｂの一端には、２本の止着棒８ｂ，８ｂが回動自在に連結され、これらの止着棒８ｂ，８ｂが、基体部６ｂの扁平な上面１５ｂにおける幅方向両端部にそれぞれ個別に開閉自在なるように配設され、基体部６ｂの上面１５ｂの中央部には、上記芯材７ｂから突出する軸受部１６ｂに柄４ｂが傾動自在なるように取り付けられている。
【００１６】
なお、芯材７ｂに各止着棒８ｂ，８ｂ毎の係止手段９ｂ，９ｂを設けること、及び基体部６ｂにおける各止着棒８ｂ，８ｂが食い込む位置に予め窪みを切設しておいても良いこと等については、上記第１実施例と同じである。
上記第２実施例のモップ１Ｂに払拭シート２ｂを取り付けるには、図７に鎖線で示すように、基体部６ｂの回りに払拭シート２ｂを巻き付けた後、各止着棒８ｂ，８ｂを閉じて該払拭シート２ｂの自由端を基体部６ｂに押し付けることにより、該基体部６ｂとの間に弾力的に挟持させるようにする。
上記第２実施例のモップ１Ｂにおいて、基体部６ｂの上面に傾動自在の柄４ｂを設ける代りに、第１実施例と同様に、基体部６ｂの一端に柄を固定的に連設することもできる。
【００１７】
図８及び図９は本発明の第３実施例を示すもので、この第３実施例に示すモップ１Ｃは、公知の扁平柄付きモップのようにヘッド３ｃを扁平化しものである。即ち、該ヘッド３ｃを構成する基体部６ｃは、扁平なプレート状をなしていて、その内部に平板状の芯材７ｃが埋設されている。そして、該芯材７ｃの一端には２本の止着棒８ｃ，８ｃが回動自在に連結され、これらの止着棒８ｃ，８ｃが、基体部６ｃの扁平な上面１５ｃにおける幅方向両端部にそれぞれ個別に開閉自在なるように配設され、基体部６ｃの上面１５ｃの中央部には、上記芯材７ｃから突出する軸受部１６ｃに柄４ｃが傾動自在なるように取り付けられている。
【００１８】
なお、芯材７ｃに止着棒８ｃ，８ｃ毎の係止手段９ｃを設けること、及び基体部６ｃにおける各止着棒８ｃ，８ｃが食い込む位置に予め窪みを切設しておいても良いこと等については、上記第１実施例と同じである。
上記第３実施例のモップ１Ｃに払拭シート２ｃを取り付けるには、図９に鎖線で示すように、基体部６ｃの回りに払拭シート２ｃを巻き付けた後、各止着棒８ｃ，８ｃを閉じて該払拭シート２ｃの自由端を基体部６ｃに押し付けることにより、該基体部６ｃとの間に弾力的に挟持させるようにする。
【００１９】
【発明の効果】
本発明のモップによれば、ヘッドの基体部を圧縮性ある弾性素材で形成し、巻き付けた払拭シートを止着棒で該基体部に押し付けることにより、該基体部の弾力を利用して挟持、固定するようにしているから、該払拭シートが薄手のものであっても、基体部の弾力によって常に適度の力で確実に挟持、固定することができ、該払拭シートが不用意に外れることがない。
しかも、上記払拭シートを、止着棒で基体部内に部分的に押し込むことにより全体として緊張させ、皺や弛み等を生じることなく適度の緊張状態に装着することができる。
また、ヘッドの基体部を圧縮性ある弾性素材で形成したから、清掃時の使用感が良く、ごつごつした感じが手に伝わることがない。
【図面の簡単な説明】
【図１】本発明のモップの第１実施例を示す、払拭シートを装着していない状態での側面図である。
【図２】図１の拡大正面図である。
【図３】図１におけるＡ−Ａ線での拡大断面図である。
【図４】第１実施例のモップの払拭シートを装着した状態での要部拡大縦断側面図である。
【図５】図４におけるＢ−Ｂ線での断面図である。
【図６】本発明のモップの第２実施例を示す、払拭シートを装着していない状態での要部側面図である。
【図７】図６におけるＣ−Ｃ線での拡大断面図である。
【図８】本発明のモップの第３実施例を示す、払拭シートを装着していない状態での要部正面図である。
【図９】図８におけるＤ−Ｄ線での拡大断面図である。
【符号の説明】
１Ａ，１Ｂ，１Ｃ  モップ      ２ａ，２ｂ，２ｃ  払拭シート
３ａ，３ｂ，３ｃ  ヘッド      ４ａ，４ｂ，４ｃ  柄
６ａ，６ｂ，６ｃ  基体部      ７ａ，７ｂ，７ｃ  芯材
８ａ，８ｂ，８ｃ  止着棒      ９ａ，９ｂ，９ｃ  係止手段
１５ｂ，１５ｃ  上面          １６ｂ，１６ｃ  軸受部
【図１】
0003655365.tif 000002
【図２】
0003655365.tif 000003
【図３】
0003655365.tif 000004
【図４】
0003655365.tif 000005
【図５】
0003655365.tif 000006
【図６】
0003655365.tif 000007
【図７】
0003655365.tif 000008
【図８】
0003655365.tif 000009
【図９】
0003655365.tif 000010